(57)【特許請求の範囲】
【請求項１】
中空筒状のブロック本体内に、貯水可能な貯水空間を設け、前記ブロック本体に、前記貯水空間の下部または底部に連通するように、植栽地盤に給水する給水口を設けるとともに、前記給水口に、前記貯水空間内の水を徐々に滲み出させる透水材を設け、前記ブロック本体に、前記貯水空間を外気の熱から遮断する断熱材を備え、かつ、前記ブロック本体に、前記貯水空間に水を補充可能な補給口、または、隣り合うブロック本体の貯水空間に連通する連通口のうちの少なくとも一方を設けたことを特徴とする縁石ブロック。
【請求項２】
中空筒状のブロック本体内に、貯水可能な貯水空間を設け、前記ブロック本体に、前記貯水空間の下部または底部に連通するように、植栽地盤に給水する給水口を設けるとともに、前記給水口に連通するように、保水した水を徐々に滲み出させる保水材を前記貯水空間内に設け、前記ブロック本体に、前記貯水空間を外気の熱から遮断する断熱材を備え、かつ、前記ブロック本体に、前記貯水空間に水を補充可能な補給口、または、隣り合うブロック本体の貯水空間と連通する連通口のうちの少なくとも一方を設けたことを特徴とする縁石ブロック。
【請求項３】
請求項１または２に記載の縁石ブロックにおいて、
貯水空間を、オーバーフロー可能な仕切りにより複数個に分割してある縁石ブロック。
【請求項４】
請求項１または２に記載の縁石ブロックにおいて、
貯水空間が、オーバーフロー可能な仕切りにより複数個に分割した貯水空間形成部材をブロック本体内に挿入して形成されたものである縁石ブロック。
【請求項５】
中空筒状のブロック本体内に、貯水可能な貯水空間を設け、前記ブロック本体に、前記貯水空間の下部または底部に連通するように、植栽地盤に給水する給水口を設けるとともに、前記給水口に、前記貯水空間内の水を徐々に滲み出させる透水材を設け、かつ、前記ブロック本体に、前記貯水空間に水を補充可能な補給口、または、隣り合うブロック本体の貯水空間に連通する連通口のうちの少なくとも一方を設け、更に、前記貯水空間を、オーバーフロー可能な仕切りにより複数個に分割した貯水空間形成部材を前記ブロック本体内に挿入して形成したことを特徴とする縁石ブロック。
【請求項６】
中空筒状のブロック本体内に、貯水可能な貯水空間を設け、前記ブロック本体に、前記貯水空間の下部または底部に連通するように、植栽地盤に給水する給水口を設けるとともに、前記給水口に連通するように、保水した水を徐々に滲み出させる保水材を前記貯水空間内に設け、前記ブロック本体に、貯水空間を外気の熱から遮断する断熱材を備え、かつ、前記ブロック本体に、前記貯水空間に水を補充可能な補給口、または、隣り合うブロック本体の貯水空間と連通する連通口のうちの少なくとも一方を設け、更に、前記貯水空間を、オーバーフロー可能な仕切りにより複数個に分割した貯水空間形成部材を前記ブロック本体内に挿入して形成したことを特徴とする縁石ブロック。
【請求項７】
請求項１、２、３、４、５、６のいずれかに記載の縁石ブロックにおいて、
ブロック本体に、隣り合うブロック本体と接続する接続部を設けるとともに、前記接続部に、隣り合うブロック本体と当接して両者間に全周にわたって目地を形成する段部を備えてある縁石ブロック。
【発明の詳細な説明】
【０００１】
【発明の属する技術分野】
本発明は、道路脇や中央分離帯、あるいは、公開広場などにおいて植栽のために用いる縁石ブロックに関する。
【０００２】
【従来の技術】
上述のような植栽は、縁石ブロックで囲まれた植栽地盤に草花や樹木といった植物を植えることによって行われている。そして、このような植栽地盤は保水性が低いため、通常、散水車によって定期的に給水するようにしている。
【０００３】
【発明が解決しようとする課題】
しかしながら、散水車による給水の場合、植物の上から噴霧されることが多い。そのため、夏場のように陽射しがきついときに、葉の上についた水滴がレンズの役割を果たし、葉枯れを生じ、植物が枯れてしまう欠点があった。
【０００４】
本発明は、このような事情に鑑みてなされたものであって、請求項１および請求項２に係る発明の縁石ブロックは、それによって囲まれた植栽地盤内の植物に良好に給水できるようにするとともに、貯水空間内の水の温度上昇を抑えるとともに貯水空間からの水の蒸発を抑制できるようにすることを目的とし、また、請求項３に係る発明の縁石ブロックは、傾斜地に使用する場合でも良好に給水できるようにすることを目的とし、請求項４に係る発明の縁石ブロックは、傾斜地に使用する場合でも良好に給水できるものを製作簡単で安価にできるようにすることを目的とする。
そして、請求項５および６に係る発明の縁石ブロックは、それによって囲まれた植栽地盤内の植物に良好に給水できるようにするとともに、傾斜地に使用する場合でも良好に給水できるものを製作簡単で安価にできるようにすることを目的とし、また、請求項７に係る発明の縁石ブロックは、ブロック本体どうしの接続を容易に行えるようにすることを目的とする。
【０００５】
【課題を解決するための手段】
請求項１に係る発明の縁石ブロックは、上述のような目的を達成するために、
中空筒状のブロック本体内に、貯水可能な貯水空間を設け、ブロック本体に、貯水空間の下部または底部に連通するように、植栽地盤に給水する給水口を設けるとともに、その給水口に、貯水空間内の水を徐々に滲み出させる透水材を設け、ブロック本体に、前記貯水空間を外気の熱から遮断する断熱材を備え、かつ、ブロック本体に、貯水空間に水を補充可能な補給口と隣り合うブロック本体の貯水空間と連通する連通口のうちの少なくとも一方を設けて構成する。
水としては、栄養剤を混入したものを使用しても良い。
【０００６】
また、請求項２に係る発明の縁石ブロックは、上述のような目的を達成するために、
中空筒状のブロック本体内に、貯水可能な貯水空間を設け、ブロック本体に、貯水空間の下部または底部に連通するように、植栽地盤に給水する給水口を設けるとともに、その給水口に連通するように、保水した水を徐々に滲み出させる保水材を貯水空間内に設け、ブロック本体に、前記貯水空間を外気の熱から遮断する断熱材を備え、かつ、ブロック本体に、貯水空間に水を補充可能な補給口と隣り合うブロック本体の貯水空間と連通する連通口のうちの少なくとも一方を設けて構成する。
【０００７】
また、請求項３に係る発明の縁石ブロックは、上述のような目的を達成するために、
請求項１または２に記載の縁石ブロックにおいて、
貯水空間を、オーバーフロー可能な仕切りにより複数個に分割して構成する。
【０００８】
また、請求項４に係る発明の縁石ブロックは、上述のような目的を達成するために、請求項１または２に記載の縁石ブロックにおいて、
貯水空間が、オーバーフロー可能な仕切りにより複数個に分割した貯水空間形成部材をブロック本体内に挿入して形成するように構成する。
【０００９】
また、請求項５に係る発明の縁石ブロックは、上述のような目的を達成するために、
中空筒状のブロック本体内に、貯水可能な貯水空間を設け、前記ブロック本体に、前記貯水空間の下部または底部に連通するように、植栽地盤に給水する給水口を設けるとともに、前記給水口に、前記貯水空間内の水を徐々に滲み出させる透水材を設け、かつ、前記ブロック本体に、前記貯水空間に水を補充可能な補給口、または、隣り合うブロック本体の貯水空間に連通する連通口のうちの少なくとも一方を設け、更に、前記貯水空間を、オーバーフロー可能な仕切りにより複数個に分割した貯水空間形成部材を前記ブロック本体内に挿入して形成して構成する。
【００１０】
また、請求項６に係る発明の縁石ブロックは、上述のような目的を達成するために、
中空筒状のブロック本体内に、貯水可能な貯水空間を設け、前記ブロック本体に、前記貯水空間の下部または底部に連通するように、植栽地盤に給水する給水口を設けるとともに、前記給水口に連通するように、保水した水を徐々に滲み出させる保水材を前記貯水空間内に設け、前記ブロック本体に、貯水空間を外気の熱から遮断する断熱材を備え、かつ、前記ブロック本体に、前記貯水空間に水を補充可能な補給口、または、隣り合うブロック本体の貯水空間と連通する連通口のうちの少なくとも一方を設け、更に、前記貯水空間を、オーバーフロー可能な仕切りにより複数個に分割した貯水空間形成部材をブロック本体内に挿入して形成するように構成する。
また、請求項７に係る発明の縁石ブロックは、上述のような目的を達成するために、
請求項１、２、３、４、５、６のいずれかに記載の縁石ブロックにおいて、
ブロック本体に、隣り合うブロック本体と接続する接続部を設けるとともに、前記接続部に、隣り合うブロック本体と当接して両者間に全周にわたって目地を形成する段部を備えて構成する。
【００１１】
【作用】
請求項１に係る発明の縁石ブロックの構成によれば、補給口から水を供給することにより、貯水空間に直接的に、あるいは、隣り合うブロック本体から連通口を通じて水を供給して貯水空間に間接的に貯める。貯水空間内に貯められた水を透水材を通じて植栽地盤に徐々に滲み出させ、植栽地盤に植えられた植物の根元に供給することができる。また、外気の熱によって貯水空間内に貯められた水の温度が上昇すること、および、水が蒸発することを断熱材によって抑制することができる。
【００１２】
また、請求項２に係る発明の縁石ブロックの構成によれば、補給口から水を供給することにより、貯水空間に直接的に、あるいは、隣り合うブロック本体から連通口を通じて水を供給して貯水空間に間接的に貯める。貯水空間内に貯められた水を保水材に保水し、植栽地盤側で水が蒸発するに伴って、保水した水を徐々に滲み出させ、給水口を通じて植栽地盤に植えられた植物の根元に供給することができる。また、外気の熱によって貯水空間内に貯められた水の温度が上昇すること、および、水が蒸発することを断熱材によって抑制することができる。
【００１３】
また、請求項３に係る発明の縁石ブロックの構成によれば、供給された水をオーバーフローによって分割された貯水空間内に供給して貯めることができ、しかも、傾斜地に傾斜姿勢で設置したときに、仕切りによって極力多量の水を分割された貯水空間内に貯めることができる。
【００１４】
また、請求項４に係る発明の縁石ブロックの構成によれば、貯水空間形成部材をブロック本体内に挿入しておくことにより、供給された水をオーバーフローによって分割された貯水空間内に供給して貯めることができ、しかも、傾斜地に傾斜姿勢で設置したときに、仕切りによって極力多量の水を分割された貯水空間内に貯めることができる。
【００１５】
また、請求項５に係る発明の縁石ブロックの構成によれば、補給口から水を供給することにより、貯水空間に直接的に、あるいは、隣り合うブロック本体から連通口を通じて水を供給して貯水空間に間接的に貯める。貯水空間内に貯められた水を透水材を通じて植栽地盤に徐々に滲み出させ、植栽地盤に植えられた植物の根元に供給することができる。
そのうえ、貯水空間形成部材をブロック本体内に挿入しておくことにより、供給された水をオーバーフローによって分割された貯水空間内に供給して貯めることができ、しかも、傾斜地に傾斜姿勢で設置したときに、仕切りによって極力多量の水を分割された貯水空間内に貯めることができる。
【００１６】
また、請求項６に係る発明の縁石ブロックの構成によれば、補給口から水を供給することにより、貯水空間に直接的に、あるいは、隣り合うブロック本体から連通口を通じて水を供給して貯水空間に間接的に貯める。貯水空間内に貯められた水を保水材に保水し、植栽地盤側で水が蒸発するに伴って、保水した水を徐々に滲み出させ、給水口を通じて植栽地盤に植えられた植物の根元に供給することができる。
そのうえ、貯水空間形成部材をブロック本体内に挿入しておくことにより、供給された水をオーバーフローによって分割された貯水空間内に供給して貯めることができ、しかも、傾斜地に傾斜姿勢で設置したときに、仕切りによって極力多量の水を分割された貯水空間内に貯めることができる。
また、請求項７に係る発明の縁石ブロックの構成によれば、隣り合うブロック本体を接続するときに、互いに当接させて接続することにより、自ずと段部によって目地を形成することができる。
【００１７】
【発明の実施の形態】
次に、本発明の実施例を図面を用いて詳細に説明する。
図１は、本発明に係る実施例の開発に至る第１参考例の縁石ブロックの使用例を示す斜視図であり、多数の縁石ブロック１が平行に設置されるとともに、所定間隔を隔てて直交する方向に仕切り用の縁石ブロック１ａが設置され、高速道路などの中央分離帯２が形成され、平行な縁石ブロック１と仕切り用の縁石ブロック１ａとに囲まれて、植物３を植える植栽地盤４が形成されている。
【００１８】
縁石ブロック１は、図２の全体斜視図、図３の全体縦断面図、および、図４の全体横断面図に示すように、長方形の中空筒状のコンクリート製のブロック本体５の長手方向の一端側に、隣り合うブロック本体５と接続する第１の接続部６を設けるとともに、長手方向の他端側に、隣り合うブロック本体５と接続する第２の接続部７を設けて構成されている。ブロック本体５の内周面には、防水材をコーティング処理しておくのが好ましい。図中８は鉄筋を、そして、９はフープ筋を示している。
【００１９】
第１の接続部６は、ブロック本体５の筒状開口に相当する部分を突出させるとともにその突出部分の上部に第１の連通口１０を設けて構成されている。一方、第２の接続部７は、ブロック本体５の筒状開口に連なる第２の連通口１１を設けて構成されている。また、第２の接続部７には、第２の連通口１１の周囲全周にわたって段部１２が形成されている。
【００２０】
この構成により、隣り合うブロック本体５と接続するときに、第１の接続部６と第２の接続部７とを嵌合し、第１の接続部６の突出基端の立ち上がり面Ｆ１に第２の接続部７の端面Ｆ２を当接させることにより、立ち上がり面Ｆ１と段部１２とによって、その全周にわたって自ずと目地を形成し、そこにモルタル等を流し込んで容易に接続できる。
【００２１】
また、隣合うブロック本体５と接続した状態で、両ブロック本体５，５の第１の連通口１０の下方の立ち上がり壁１３，１３間に貯水可能な貯水空間Ｓが形成されるようになっている。
【００２２】
ブロック本体５の一方の横側壁には、貯水空間Ｓの下部に連通するように、植栽地盤４に給水する給水口１４が長手方向に所定間隔を隔てて設けられている。給水口１４には、そこを蓋するようにセラミック製の透水材１５が設けられ、貯水空間Ｓ内の水を植栽地盤４に徐々に滲み出させるように構成されている。
【００２３】
ブロック本体５の天井壁には、そこを貫通して補給口１６が形成されるとともに、その補給口１６にプラスチック製のキャップ１７が嵌め込みにより取り付けられている。この補給口１６は、互いに接続される多数のブロック本体５のうちの一部のものに設けておきさえすれば良い。隣り合うブロック本体５の貯水空間Ｓには、第１および第２の連通口１０，１１を通じて供給できるからである。また、キャップ１７に金網などのストレーナを付設しても良い。
【００２４】
以上の構成により、縁石ブロック１を設置するとともに、目地仕上げを施して中央分離帯などを構築し、植栽地盤４に植物を植えた後、所定の補給口１６から定期的に水を補充する。これにより、第１および第２の連通口１０，１１を通じて連通する貯水空間Ｓに水を貯め、その貯められた水を給水口１４の透水材１５を通じて植栽地盤４内の植物の根元に徐々に滲み出させ、葉枯れを生じさせずに植物を長期にわたって良好に管理維持できる。
【００２５】
上述第１参考例において、水を供給した初期においては、ブロック本体５内空間全体が貯水空間となって水が貯められる。また、仕切り用の縁石ブロック１ａも同様に構成し、一部のブロック本体において、その横側面にも連通口を形成し、その連通口を通じて仕切り用の縁石ブロック１ａ内にも水を供給できるように構成しても良い。
【００２６】
図５は、本発明に係る第１実施例の縁石ブロックを示す全体分解斜視図、図６は第１実施例の全体縦断面図であり、第１参考例と異なるところは、次の通りである。
すなわち、発泡スチロールなどで形成した四角形の筒状の断熱材１８が第２の連通口１１を通じてブロック本体５内に挿入されている。挿入状態で断熱材１８の給水口１４に対応する箇所それぞれに開口１９が形成されている。他の構成は第１参考例と同じであり、その説明は省略する。
【００２７】
この第１実施例によれば、外気からの熱を断熱材１８によって遮断し、貯水空間Ｓ内の水の温度上昇を抑えるとともに貯水空間Ｓ内に貯められた水の蒸発を抑制でき、蒸発に伴う加圧により透水材１５を通じて必要以上に給水されることを防止し、貯水空間Ｓ内に水を補充する頻度を少なくできる。
【００２８】
図７は、本発明に係る第２実施例の縁石ブロックを示す全体分解斜視図、図８は第２実施例の全体縦断面図であり、第１参考例と異なるところは、次の通りである。
すなわち、ブロック本体５内に貯水空間形成部材２０が第２の連通口１１を通じて挿入されている。貯水空間形成部材２０が、平板部材２１に長手方向に所定間隔を隔ててオーバーフロー可能な仕切り２２を突設して構成されている。
【００２９】
平板部材２１および仕切り２２は発泡スチロールなどの断熱材で一体形成されている。また、発泡スチロールなどで形成した逆向き凹字形状の断熱材２３が第２の連通口１１を通じてブロック本体５内に挿入されている。挿入状態で断熱材２３の給水口１４に対応する箇所それぞれに開口２４が形成されている。他の構成は第１参考例と同じであり、その説明は省略する。
【００３０】
この第２実施例によれば、図８に示すように、坂道とか階段脇などの傾斜地に傾斜姿勢で設置する場合でも、仕切り２２によって貯水空間Ｓが複数個に分割され、極力多量の水を、分割された貯水空間Ｓ内に貯めることができるから、仕切り２２をオーバーフローして良好に給水できる。また、第１実施例と同様に、外気からの熱を遮断し、貯水空間Ｓ内に貯められた水の蒸発を抑制でき、貯水空間Ｓ内に水を補充する頻度を少なくできる利点を有している。
【００３１】
第２実施例では、貯水空間形成部材２０をブロック本体５とは別体にして取り付け、ブロック本体５の製作が簡単で安価にできる利点を有しているが、本発明としては、ブロック本体５自体に仕切りを一体形成するものでも良い。
【００３２】
図９は、本発明に係る実施例の開発に至る第２参考例の縁石ブロックの使用例を示す平面図であり、縁石ブロック１が、平面視で円弧状の中空筒状のブロック本体５で構成され、その４個の縁石ブロック１と、２個の前述第１参考例の長方形状の縁石ブロック１とにより全体としてトラック形状の植栽地盤４が形成されている。
【００３３】
図示しないが、ブロック本体５の小径側の壁部分に、前述第１参考例と同様に透水材を設けた給水口が形成されている。また、その接続構成も第１参考例と同様であり、補給口１６から水を供給することにより、全てのブロック本体５内の貯水空間内に水を供給できるようになっている。
【００３４】
図１０は、本発明に係る実施例の開発に至る第３参考例の縁石ブロックを示す全体縦断面図、図１１は第３参考例の全体横断面図であり、第１参考例と異なるところは、次の通りである。
【００３５】
すなわち、給水口１４に透水材を設けずに、ブロック本体５内に、給水口１４に連通するように高分子吸収剤などの保水材２５が設けられ、保水材２５に保水させ、その保水した水を給水口１４から植栽地盤４に徐々に滲み出させるように構成されている。他の構成は第１参考例と同じであり、その説明は省略する。
【００３６】
この貯水空間Ｓとしては、ブロック本体５の長手方向の両端側それぞれに立ち上がり壁を設けて、個別に形成するようにしても良い。また、本発明としては、ブロック本体５に、第１および第２の連通口１０，１１のいずれをも設けずに補給口１６のみを設けて、１個のブロック本体５に独立した貯水空間Ｓを設けるように構成するものでも良い。
【００３７】
給水口１４としては、貯水空間Ｓの底部に設け、そこから植栽地盤４に水を供給できるように構成しても良い。
また、本発明で使用する水としては、栄養剤を混入した水でも良い。
【００３８】
本発明の縁石ブロック１により中央分離帯などのように長い植栽地盤４を形成する場合、例えば、所定距離ごとに補給用のタンクを設け、そのタンクに水道水などを供給できるように構成するとともに、タンクとひとつのブロック本体５とを接続し、所定時間ごとなど、自動的にあるいは適宜、補給用のタンクから貯水空間Ｓに水を補充できるように構成し、植栽地盤４に対する管理維持をより一層楽に行えるように構成することも可能である。
【００３９】
【発明の効果】
以上の説明から明らかなように、請求項１に係る発明の縁石ブロックによれば、ブロック本体自体を有効利用し、そのブロック本体に備えた貯水空間内に水を貯め、その貯めた水を植栽地盤に植えられた植物の根元に供給するから、従来の散水車で供給する場合のような、夏場などにおける葉の枯れの発生を回避して、植栽地盤内の植物に良好に給水できるようになった。
しかも、貯水空間内に貯められた水を透水材を通じて植栽地盤に徐々に滲み出させて供給するから、多量の水を供給して根腐れを発生することも無い。また、貯水空間の形成により、縁石ブロックの軽量化をも併せて達成でき、取り扱いが容易になり、設置工事を簡単にできる利点がある。そのうえ、貯水空間の容積と透水材を適宜設定することにより、一回の補充によって長時間にわたる給水が可能になり、道路管理者など、管理者側の給水作業が楽になって管理維持コストを低減できる。
そのうえ、貯水空間内に貯められた水の温度上昇および蒸発を抑制できるから、補充の頻度を少なくでき、管理維持コストを一層低減できる。
【００４０】
また、請求項２に係る発明の縁石ブロックによれば、ブロック本体自体を有効利用し、そのブロック本体に備えた貯水空間内に水を貯め、その貯めた水を植栽地盤に植えられた植物の根元に供給するから、従来の散水車で供給する場合のような、夏場などにおける葉の枯れの発生を回避して、植栽地盤内の植物に良好に給水できるようになった。
しかも、貯水空間内に貯められて保水材に保水された水を植栽地盤に徐々に滲み出させて供給するから、多量の水を供給しても根腐れが発生することも無い。また、貯水空間の形成により、縁石ブロックの軽量化をも併せて達成でき、取り扱いが容易になり、設置工事を簡単にできる利点がある。そのうえ、貯水空間の容積と保水材を適宜設定することにより、一回の補充によって長時間にわたる給水が可能になり、道路管理者など、管理者側の給水作業が楽になって管理維持コストを低減できる。
そのうえ、貯水空間内に貯められた水の温度上昇および蒸発を抑制できるから、補充の頻度を少なくでき、管理維持コストを一層低減できる。
【００４１】
また、請求項３に係る発明の縁石ブロックによれば、傾斜地に傾斜姿勢で設置する場合でも、仕切りによって極力多量の水を分割された貯水空間内に貯めることができるから、良好に給水できるようになった。
【００４２】
また、請求項４に係る発明の縁石ブロックによれば、傾斜地に傾斜姿勢で設置する場合でも、仕切りによって極力多量の水を分割された貯水空間内に貯めることができるから、良好に給水できる。しかも、貯水空間形成部材をブロック本体とは別体にして取り付けるから、ブロック本体自体に仕切りを一体形成する場合に比べてブロック本体の製作が簡単になり、安価である。
【００４３】
また、請求項５に係る発明の縁石ブロックによれば、ブロック本体自体を有効利用し、そのブロック本体に備えた貯水空間内に水を貯め、その貯めた水を植栽地盤に植えられた植物の根元に供給するから、従来の散水車で供給する場合のような、夏場などにおける葉の枯れの発生を回避して、植栽地盤内の植物に良好に給水できるようになった。
しかも、貯水空間内に貯められた水を透水材を通じて植栽地盤に徐々に滲み出させて供給するから、多量の水を供給して根腐れを発生することも無い。また、貯水空間の形成により、縁石ブロックの軽量化をも併せて達成でき、取り扱いが容易になり、設置工事を簡単にできる利点がある。そのうえ、貯水空間の容積と透水材を適宜設定することにより、一回の補充によって長時間にわたる給水が可能になり、道路管理者など、管理者側の給水作業が楽になって管理維持コストを低減できる。
そのうえ、傾斜地に傾斜姿勢で設置する場合でも、仕切りによって極力多量の水を分割された貯水空間内に貯めることができるから、良好に給水できる。しかも、貯水空間形成部材をブロック本体とは別体にして取り付けるから、ブロック本体自体に仕切りを一体形成する場合に比べてブロック本体の製作が簡単になり、安価である。
【００４４】
また、請求項６に係る発明の縁石ブロックによれば、ブロック本体自体を有効利用し、そのブロック本体に備えた貯水空間内に水を貯め、その貯めた水を植栽地盤に植えられた植物の根元に供給するから、従来の散水車で供給する場合のような、夏場などにおける葉の枯れの発生を回避して、植栽地盤内の植物に良好に給水できるようになった。
しかも、貯水空間内に貯められて保水材に保水された水を植栽地盤に徐々に滲み出させて供給するから、多量の水を供給しても根腐れが発生することも無い。また、貯水空間の形成により、縁石ブロックの軽量化をも併せて達成でき、取り扱いが容易になり、設置工事を簡単にできる利点がある。そのうえ、貯水空間の容積と保水材を適宜設定することにより、一回の補充によって長時間にわたる給水が可能になり、道路管理者など、管理者側の給水作業が楽になって管理維持コストを低減できる。
そのうえ、傾斜地に傾斜姿勢で設置する場合でも、仕切りによって極力多量の水を分割された貯水空間内に貯めることができるから、良好に給水できる。しかも、貯水空間形成部材をブロック本体とは別体にして取り付けるから、ブロック本体自体に仕切りを一体形成する場合に比べてブロック本体の製作が簡単になり、安価である。
また、請求項７に係る発明の縁石ブロックによれば、隣り合うブロック本体の接続に伴って、自ずと目地を形成できるから、目地形成のためのブロック本体どうしの位置合わせに手間がかからず、縁石ブロックの設置工事を容易に行えるようになった。
【図面の簡単な説明】
【図１】  本発明に係る実施例の開発に至る第１参考例の縁石ブロックの使用例を示す斜視図である。
【図２】  第１参考例の全体斜視図である。
【図３】  第１参考例の全体縦断面図である。
【図４】  第１参考例の全体横断面図である。
【図５】  本発明に係る第１実施例の縁石ブロックを示す全体分解斜視図である。
【図６】  第１実施例の全体縦断面図である。
【図７】  本発明に係る第２実施例の縁石ブロックを示す全体分解斜視図である。
【図８】  第２実施例の全体縦断面図である。
【図９】  本発明に係る実施例の開発に至る第２参考例の縁石ブロックの使用例を示す平面図である。
【図１０】  本発明に係る実施例の開発に至る第３参考例の縁石ブロックを示す全体縦断面図である。
【図１１】  第３参考例の全体横断面図である。
【符号の説明】
１…縁石ブロック
４…植栽地盤
５…ブロック本体
６…第１の接続部
７…第２の接続部
１０…第１の連通口
１１…第２の連通口
１２…段部
１４…給水口
１５…透水材
１６…補給口
１８…断熱材
１９…開口
２０…貯水空間形成部材
２５…保水材
Ｓ…貯水空間
【図１】
0003799424.tif 000002
【図２】
0003799424.tif 000003
【図３】
0003799424.tif 000004
【図４】
0003799424.tif 000005
【図５】
0003799424.tif 000006
【図６】
0003799424.tif 000007
【図７】
0003799424.tif 000008
【図８】
0003799424.tif 000009
【図９】
0003799424.tif 000010
【図１０】
0003799424.tif 000011
【図１１】
0003799424.tif 000012